【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】
所与のバイアス電圧を有する制御信号を必要とし、クロック信号を発生する手段と、
該制御信号を出力する積分器と、
外部同期信号の信号源と、
該所与のバイアス電圧と関連した電圧電位を定める第１の電圧源及び第２の電圧源と、
該第１の電圧源及び該第２の電圧源に直接接続され、該クロック信号に応答し、該電圧電位によって決められたピーク・ツー・ピーク電圧を有する再生クロック信号を出力する第１のスイッチと、
該外部同期信号に応答し、該再生クロック信号の一部分を周期的にサンプリングし、サンプリングされた一部分を該積分器へ与える第２のスイッチと、を含み、
該サンプリングされた一部分は、該積分器を充電及び放電し、該所与のバイアス電圧を生ずるために十分な大きさのある該制御信号を発生させ、
該第１のスイッチ及び該第２のスイッチは、該クロック信号を発生する手段を、該外部同期信号と同期させる位相検波器を形成し、
該第２のスイッチは、該外部同期信号が現れないとき、該積分器への入力が浮遊するように制御される、
位相ロックループ。
【請求項２】
該外部同期信号は第１の周波数（ｆＨ）を有し、
該クロック信号を発生する手段は該第１の周波数で動作し、
該第２のスイッチは、該再生クロック信号の実質的に全てのパルスをサンプリングする、請求項１記載の位相ロックループ。
【請求項３】
該外部同期信号は第１の周波数（ｆＨ）を有し、
該クロック信号を発生する手段は該第１の周波数よりも高い第２の周波数（１４ｆＨ）で動作し、
該第２のスイッチは、該再生クロック信号のパルスの中で、該第１の周波数と該第２の周波数の比と関連した部分をサンプリングする、請求項１記載の位相ロックループ。
【請求項４】
該外部同期信号は周波数ｆＨを有する水平同期信号を有し、
該クロック信号を発生する手段は、ｎが２以上の整数を表すとき、ｎ倍の周波数ｎｆＨで動作し、
該第２のスイッチは、該再生クロック信号のｎパルスにつき１パルスずつをサンプリングする、請求項１記載の位相ロックループ。
【請求項５】
該第１のスイッチ及び該第２のスイッチはアナログ半導体スイッチである、請求項１記載の位相ロックループ。
【請求項６】
該第１のスイッチ及び該第２のスイッチは集積回路に組み込まれる、請求項５記載の位相ロックループ。
【請求項７】
該第１のスイッチ及び該第２のスイッチは集積回路に組み込まれる、請求項１記載の位相ロックループ。
【請求項８】
該クロック信号を発生する手段は、
制御可能型発振器と、
該発振器を制御するため該所与のバイアス電圧を必要とし、該制御信号に応答し、該発振器を制御するバラクタと、を含む、請求項１記載の位相ロックループ。
【請求項９】
該積分器は第１の制御信号を出力し、
第２の制御信号の信号源と、
該積分器と該クロック信号を発生する手段との間に第１の切り換え可能なパスを定め、該第２の制御信号の信号源と該積分器との間に第２の切り換え可能なパスを定める第３のスイッチと、を更に具備し、該第１の切り換え可能なパス又は該第２の切り換え可能なパスは、制御信号源選択信号に応じて接続される、請求項１記載の位相ロックループ。
【請求項１０】
該第１の制御信号は、位相ロック動作モードの場合に、該クロック信号を発生させる手段へ与えられ、該第２の制御信号は、位相アンロック動作モードの場合に、該クロック信号を発生させる手段へ与えられる、請求項９記載の位相ロックループ。
【請求項１１】
該第２の制御信号の信号源は、
該第２の制御信号を設定するビット・レート乗算器と、
該ビット・レート乗算器に応答して該第２の制御信号を発生するＢＲＭフィルタと、を含む、請求項１０記載の位相ロックループ。
【請求項１２】
外部同期信号は周波数ｆＨを有し、ｎが２以上の整数であり、ｍが２以上であるとき、
該クロック信号を発生させる手段は、第１の動作モードで該第１の制御信号に応じて、ｎ倍の周波数ｎｆＨで動作し、第２の動作モードで該第２の制御信号に応じて、ｍ倍の周波数ｍｆＨで動作し、
該第２のスイッチは、該第１の動作モードで該再生クロック信号のｎパルスにつき１パルスずつをサンプリングする、請求項９記載の位相ロックループ。
【請求項１３】
ｎ＝２かつｍ＞２である、請求項１２記載の位相ロックループ。
【請求項１４】
該第１のスイッチ、該第２のスイッチ及び該第３のスイッチは、アナログ半導体スイッチである、請求項９記載の位相ロックループ。
【請求項１５】
該第１のスイッチ、該第２のスイッチ、及び、該第３のスイッチは、集積回路に組み込まれる、請求項１４記載の位相ロックループ。
【請求項１６】
該第１のスイッチ、該第２のスイッチ、及び、該第３のスイッチは、集積回路に組み込まれる、請求項９記載の位相ロックループ。
【請求項１７】
制御電圧を出力する積分器と、
発振器と、
所与のバイアス電圧を必要とし、該制御電圧に応答して該発振器を制御するバラクタと、
水平同期信号の信号源と、
該所与のバイアス電圧と関連した電圧電位を定める第１の電圧源及び第２の電圧源と、
該第１の電圧源及び該第２の電圧源に接続され、該発振器に応答し、該電圧電位によって決められたピーク・ツー・ピーク電圧を有する再生発振信号を出力する第１のスイッチと、
該水平同期信号に応答し、該再生発振信号の一部分を周期的にサンプリングし、該サンプリングされた一部分を該積分器へ与える第２のスイッチと、を有し、
該サンプリングされた一部分は、該積分器を充電及び放電し、該所与のバイアス電圧を生ずるために十分な大きさのある該制御電圧を発生させ、
該第１のスイッチ及び該第２のスイッチは、該発振器を該水平同期信号と同期させる位相検波器を形成し、
該第２のスイッチは、該外部同期信号が現れないとき、該積分器への入力が浮遊するように制御される、
位相ロックループ。
【請求項１８】
該第１のスイッチ及び該第２のスイッチはアナログ半導体スイッチである、請求項１７記載の位相ロックループ。
【請求項１９】
該第１のスイッチ及び該第２のスイッチは集積回路に組み込まれる、請求項１８記載の位相ロックループ。
【請求項２０】
該第１のスイッチ及び該第２のスイッチは集積回路に組み込まれる、請求項１７記載の位相ロックループ。
【請求項２１】
該積分器は第１の制御電圧を出力し、
第２の制御電圧の信号源と、
該積分器と該バラクタとの間に第１の切り換え可能なパスを定め、該第２の制御電圧の信号源と該バラクタとの間に第２の切り換え可能なパスを定める第３のスイッチと、を更に具備し、
該第１の切り換え可能なパス又は該第２の切り換え可能なパスは、制御電圧源選択信号に応じて接続される、請求項１７記載の位相ロックループ。
【請求項２２】
該第１の制御電圧は、位相ロック動作モードの場合に、該バラクタへ与えられ、該第２の制御電圧は、位相アンロック動作モードの場合に、該バラクタへ与えられる、請求項２１記載の位相ロックループ。
【請求項２３】
水平同期信号は周波数ｆＨを有し、
ｎが２以上の整数であり、ｍが２以上であるとき、該発振器は、第１の動作モードで該第１の制御信号に応じて、ｎ倍の周波数ｎｆＨで動作し、第２の動作モードで該第２の制御信号に応じて、ｍ倍の周波数ｍｆＨで動作し、
該第２のスイッチは、該第１の動作モードで該再生クロック信号のｎパルスにつき１パルスずつをサンプリングする、請求項２１記載の位相ロックループ。
【請求項２４】
ｎ＝２かつｍ＞２である、請求項２３記載の位相ロックループ。
【請求項２５】
該第１のスイッチ、該第２のスイッチ及び該第３のスイッチは、集積回路に組み込まれたアナログ半導体スイッチである、請求項２１記載の位相ロックループ。